(57)【要約】【課題】胸の形を潰さずに、運動時の乳房の上下の揺れを抑制することができるスポーツ用衣類を提供する。【解決手段】本発明は、左右の乳房を含む胸部を覆う前面部２と、肩を覆う一対の肩部３と、背中上部を覆う背面部４と、前面部２及び背面部４の下端に繋がっている下端部５とを備えたスポーツ用衣類１であって、前面部２には、左右の乳房をそれぞれ包み込む一対のカップ６が設けられており、肩部３の長手方向の伸長率Ｌａは３〜５％であり、カップ６の長手方向の伸長率Ｌｂは、肩部３の長手方向の伸長率Ｌａの４〜８倍であり、背面部４の長手方向の伸長率Ｌｃは、カップ６の長手方向の伸長率Ｌｂの２〜４倍であり、下端部５の長手方向の伸長率は７０〜１００％であるスポーツ用衣類１に関する。【選択図】図１
2018204148.tif 000002
【特許請求の範囲】
【請求項１】
左右の乳房を含む胸部を覆う前面部と、肩を覆う一対の肩部と、背中上部を覆う背面部と、前記前面部及び前記背面部の下端に繋がっている下端部とを備えたスポーツ用衣類であって、
前記前面部には、左右の乳房をそれぞれ包み込む一対のカップが設けられており、
前記肩部の長手方向の伸長率Ｌａは３〜５％であり、前記カップの長手方向の伸長率Ｌｂは、前記肩部の長手方向の伸長率Ｌａの４〜８倍であり、前記背面部の長手方向の伸長率Ｌｃは、前記カップの長手方向の伸長率Ｌｂの２〜４倍であり、前記下端部の長手方向の伸長率は７０〜１００％であることを特徴とするスポーツ用衣類。
【請求項２】
前記カップの長手方向の伸長率Ｌｂは、１５〜２５％である請求項１に記載のスポーツ用衣類。
【請求項３】
前記背面部の長手方向の伸長率Ｌｃは、３０〜５０％である請求項１又は２に記載のスポーツ用衣類。
【請求項４】
前記一対のカップの上部は、それぞれ、前記一対の肩部と直接連結されている請求項１〜３のいずれか１項に記載のスポーツ用衣類。
【請求項５】
前記カップは、長手方向に沿って厚みが変化しており、カップ下部の厚みがカップ上部の厚みより大きい請求項１〜４のいずれか１項に記載のスポーツ用衣類。
【請求項６】
前記カップは、肌側層と外側層の間に配置されており、前記カップの周縁部が肌側層に固定されている請求項１〜５のいずれか１項に記載のスポーツ用衣類。
【請求項７】
前記肌側層は、メッシュ生地で構成されている請求項６に記載のスポーツ用衣類。
【請求項８】
前記背面部は、中央部に配置されている背面中央部と、両側部に配置されている一対の背面側部を有し、前記背面中央部はメッシュ生地で構成され、前記背面側部は前記前面部の外側層と一体化されている請求項１〜７のいずれか１項に記載のスポーツ用衣類。
【請求項９】
前記肩部は、長さを調製する調節部材を有する請求項１〜８のいずれか１項に記載のスポーツ用衣類。
【発明の詳細な説明】
【技術分野】
【０００１】
本発明は、スポーツ用衣類に関し、詳細には、運動時に、胸の形を潰さずに、乳房の揺れを抑制することができるスポーツ用衣類に関する。
【背景技術】
【０００２】
運動時の乳房の揺れを抑制するスポーツ用ブラジャーなどのスポーツ用衣類が提案されている。例えば、特許文献１には、カップ部の周縁部に沿って設けられた第１部分と、カップ部の周縁部に沿って第１部分と隣接するように設けられた第２部分とを備え、第２部分は、第１部分の長手方向である第１方向の緊締力が該第１方向と直交する第２方向の緊締力よりも弱い材質で構成され 、第１部分の第１方向の緊締力が第２部分の第１方向の緊締力よりも強いスポーツ用衣料が記載されている。特許文献２には、胸部バンドと、１対の肩ストラップと、着用者の乳房を包囲するブラジャーの前面構造体を形成する外骨格とを含む、一体的な連続するフレーム部分と、前記外骨格に取付けられるとともに着用者の乳房を包み込むよう構成された成型カップとを含む運動用ブラジャーが記載されている。特許文献３には、左右の乳房を含む胸部を覆う前面部の肌側層と前記外側層の間に、左右対称的にそれぞれ、肩から大胸筋と乳頭を通り上記下端部の前中心部に至る領域を覆うように乳房中央部を縦長の短冊状に配置し、左右の乳房の外周において、大胸筋上部からアンダーバストまでの一部を覆うように乳房周縁部を横８字状に配置したスポーツ用衣類が記載されている。
【先行技術文献】
【特許文献】
【０００３】
【特許文献１】特開２００６−１０４６１３号公報
【特許文献２】特表２００８−５３７０３４号公報
【特許文献３】特開２０１４−１６７１９５号公報
【発明の概要】
【発明が解決しようとする課題】
【０００４】
しかしながら、特許文献１及び２に記載のスポーツ用衣類は、運動時の乳房の上下の揺れの抑制が不十分であるという問題があり、特許文献３に記載のスポーツ用衣類は、胸の形が潰れるという問題があった。
【０００５】
本発明は、上記従来の問題を解決するため、胸の形を潰さずに、運動時の乳房の上下の揺れを抑制することができるスポーツ用衣類を提供する。
【課題を解決するための手段】
【０００６】
本発明は、左右の乳房を含む胸部を覆う前面部と、肩を覆う一対の肩部と、背中上部を覆う背面部と、前記前面部及び前記背面部の下端に繋がっている下端部とを備えたスポーツ用衣類であって、前記前面部には、左右の乳房をそれぞれ包み込む一対のカップが設けられており、前記肩部の長手方向の伸長率Ｌａは３〜５％であり、前記カップの長手方向の伸長率Ｌｂは、前記肩部の長手方向の伸長率Ｌａの４〜８倍であり、前記背面部の長手方向の伸長率Ｌｃは、前記カップの長手方向の伸長率Ｌｂの２〜４倍であり、前記下端部の長手方向の伸長率は７０〜１００％であることを特徴とするスポーツ用衣類に関する。
【０００７】
本発明の一実施形態において、前記カップの長手方向の伸長率Ｌｂは、１５〜２５％であることが好ましい。本発明の一実施形態において、前記背面部の長手方向の伸長率Ｌｃは、３０〜５０％であることが好ましい。
【０００８】
本発明の一実施形態において、前記一対のカップの上部は、それぞれ、前記一対の肩部と直接連結されていることが好ましい。本発明の一実施形態において、前記カップは、長手方向に沿って厚みが変化しており、カップ下部の厚みがカップ上部の厚みより大きいことが好ましい。本発明の一実施形態において、前記カップは、肌側層と外側層の間に配置されており、前記カップの周縁部が肌側層に固定されていることが好ましい。本発明の一実施形態において、前記肌側層は、メッシュ生地で構成されていることが好ましい。本発明の一実施形態において、前記背面部は、中央部に配置されている背面中央部と、両側部に配置されている一対の背面側部を有し、前記背面中央部はメッシュ生地で構成され、前記背面側部は前記前面部の外側層と一体化されていることが好ましい。本発明の一実施形態において、前記肩部は、長さを調製する調節部材を有してもよい。
【発明の効果】
【０００９】
本発明によれば、胸の形を潰さずに、運動時の乳房の上下の揺れを抑制することができるスポーツ用衣類を提供することができる。
【図面の簡単な説明】
【００１０】
【図１】図１は本発明の一実施形態のスポーツ用ブラジャーの正面図である。
【図２】図２は同スポーツ用ブラジャーの背面図である。
【図３】図３は本発明の他の一実施形態のスポーツ用ブラジャーの正面図である。
【図４】図２は同スポーツ用ブラジャーの背面図である。
【図５】図５は本発明の一実施形態のスポーツ用ブラジャーの正面図である。
【図６】図６は乳房の上下の揺れを測定する際のマーカーの取付け方を説明する模式図である。
【発明を実施するための形態】
【００１１】
本発明者らは、スポーツ用衣料において、胸の形を潰さずに、運動時の乳房の上下の揺れを抑制することについて検討を重ねた。その結果、左右の乳房を含む胸部を覆う前面部と、肩を覆う一対の肩部と、背中上部を覆う背面部と、前面部及び背面部の下端に繋がっている下端部とを備えたスポーツ用衣類において、前面部に、左右の乳房をそれぞれ包み込む一対のカップを設けるとともに、肩部、カップ、背面部及び下端部の伸長率を所定の範囲及び比率にすることで、着用者本来の身体の曲線に沿った構造を有するスポーツ用衣料が得られ、胸の形を潰さずに、運動時の乳房の上下の揺れを抑制し得ることを見出した。具体的には、肩部の長手方向の伸長率Ｌａを３〜５％にし、下端部の長手方向の伸長率を７０〜１００％にすることで、スポーツ用衣料が着用者の身体に密着し、カップの長手方向の伸長率Ｌｂを肩部の長手方向の伸長率Ｌａの４〜８倍にし、背面部の長手方向の伸長率Ｌｃをカップの長手方向の伸長率Ｌｂの２〜４倍にすることで、運動時における乳房のカップ内での揺れが抑制され、胸の形を潰さずに、運動時の乳房の上下の揺れを抑制し得ることを見出した。本発明の一以上の実施形態において、伸長率は、ＪＩＳ  Ｌ  １０９６  ８．１４．１  Ａ法（定速伸長法）に準拠し、荷重１７．４Ｎ、引張速度２００ｍｍ／ｍｉｎの条件下で測定する。
【００１２】
前記スポーツ用衣類は、典型的には、スポーツ用ブラジャーであるが、左右の乳房を含む胸部を覆うスポーツ用衣類であればよい。例えば、水着、レオタード、ボディースーツなどのスポーツ用衣類であってもよい。
【００１３】
前記スポーツ用衣類は、左右の乳房を含む胸部を覆う前面部と、肩を覆う一対の肩部と、背中上部を覆う背面部と、前記前面部及び前記背面部の下端に繋がっている下端部とを備える。
【００１４】
前記肩部の長手方向の伸長率Ｌａは３〜５％である。これにより、スポーツ用衣類が着用者の身体に密着し、運動時の乳房の上下の揺れを抑制することができる。前記肩部の長手方向は、着用者の身長方向に相当する。前記肩部は、長手方向の伸長率が上述した範囲を満たせばよく、特に限定されないが、例えば、目付が４００ｇ／ｍ2以上の編物、織物、樹脂プリントを施した生地、ポリウレタン素材などの樹脂素材などの低伸縮性素材で構成されていることが好ましい。
【００１５】
前記肩部は、特に限定されないが、着用しやすい観点から、長さを調製する調節部材を有してもよい。
【００１６】
前記カップの長手方向の伸長率Ｌｂは、前記肩部の長手方向の伸長率Ｌａの４〜８倍であり、好ましくは５〜７倍である。これにより、胸の形を潰すことなく、乳房のカップ内での揺れが抑制される。前記カップの長手方向の伸長率は、上述の範囲を満たせばよく、特に限定されないが、胸の形を潰すことなく、乳房のカップ内での揺れを抑制する効果を高める観点から、１５〜２５％であることが好ましい。前記肩部の長手方向は、着用者の身長方向に相当する。
【００１７】
前記カップの長手方向に直交する幅方向の伸長率は、特に限定されないが、胸に対する圧迫感が少なく、乳房のカップ内での揺れを抑制する効果を高める観点から、前記カップの長手方向の伸長率Ｌｂの１．０〜２．０倍であることが好ましく、１．３〜１．５倍であることがより好ましい。
【００１８】
本発明の一実施形態において、前記一対のカップの上部は、それぞれ、前記一対の肩部と直接連結されていることが好ましい。特定に伸長率の肩部とカップが直接連結されていることにより、運動時の乳房の揺れを抑制する効果がより高まる。
【００１９】
本発明の一実施形態において、前記カップは、長手方向に沿って厚みが変化しており、カップ下部の厚みがカップ上部の厚みより大きいことが好ましい。本発明の一実施形態において、前記カップ上部の厚みは２．５〜５．０ｍｍであり、前記カップ下部の厚みは１０〜１３ｍｍであることが好ましい。これにより、胸を保形する効果がより高まる。
【００２０】
本発明の一実施形態において、前記カップとしては、上述した伸長率を有し、乳房を包み込むような凸形状のものであればよく、特に限定されないが、胸を保形しやすく、衝撃吸収性が高い観点から、例えば、ポリウレタン、ポリスチレン、ポリプロピレン、ポリブタジェン、天然ゴム、合成ゴム、シリコン等の合成樹脂発泡体で構成されていることが好ましい。
【００２１】
本発明の一実施形態において、美観の観点から、前記カップは、肌側層と外側層の間に配置されており、その周縁部が肌側層に、例えば、縫着、接着などにより固定されていることが好ましい。この場合、前記前面部は、一対のカップ、肌側層及び外側層で構成される。前記肌側層は、例えば、編物、織物などの通常のスポーツ衣料用素材で構成することができ、特に限定されないが、身体に適度にフィットする編物を用いることが好ましい。前記編物としては、例えば、トリコット生地、メッシュ生地、ラッセル生地、ダブルラッセル生地などを用いることができ、通気性に優れる観点から、メッシュ生地などを用いることが好ましい。
【００２２】
前記背面部の長手方向の伸長率Ｌｃは、前記カップの長手方向の伸長率Ｌｂの２〜４倍である。これにより、運動時にも、スポーツ用衣料がずれ難くなり、乳房の揺れを抑制することができる。着用感を観点から、前記背面部の長手方向の伸長率Ｌｃは、３０〜５０％であることが好ましい。前記背面部の長手方向は、着用者の身長方向に相当する。前記背面部は、編物、織物などの通常のスポーツ衣料用素材で構成することができ、特に限定されないが、身体に適度にフィットする編物を用いることが好ましい。前記編物としては、例えば、トリコット生地、メッシュ生地、ラッセル生地、ダブルラッセル生地などを用いることができ、通気性に優れる観点から、メッシュ生地などを用いることが好ましい。
【００２３】
本発明の一実施形態において、前記背面部は、中央部に配置されている背面中央部と、両側部に配置されている一対の背面側部を有してもよい。この場合、「背面部の長手方向の伸長率」とは、背面中央部の長手方向の伸長率を意味する。前記背面中央部は、編物、織物などの通常のスポーツ衣料用素材で構成することができ、特に限定されないが、身体に適度にフィットする編物を用いることが好ましい。前記編物としては、例えば、トリコット生地、メッシュ生地、ラッセル生地、ダブルラッセル生地などを用いることができ、通気性に優れる観点から、メッシュ生地などを用いることが好ましい。本発明の一実施形態において、前記背面側部は、前記前面部の外側層と同じ素材で構成することができ、前記背面側部と前記前面部の外側層は一体化されていてもよい。
【００２４】
本発明の一実施形態において、前記肩部、前記カップ及び前記背面部の長手方向の伸長率は、肩部、カップ及び背面部の順番で大きくなることが好ましい。これにより、運動時の乳房の上下の揺れをより効果的に抑制することができる。
【００２５】
前記下端部の長手方向の伸長率は、７０〜１００％であり、好ましくは７５〜９５％であり、より好ましくは８０〜９０％である。これにより、スポーツ用衣類が着用者の身体に密着し、運動時の乳房の揺れを抑制することができる。前記下端部の長手方向は、着用者の身幅方向に相当する。前記下端部は、長手方向の伸長率が上述した範囲を満たせばよく、特に限定されないが、身体へのフィット性を高める観点から、ナイロン、ポリウレタンなどの素材を用いて構成することが好ましい。
【００２６】
本発明の一実施形態において、特に限定されないが、上述した各種生地を構成する繊維としては、例えば、ポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００２７】
本発明の一実施形態において、上述した各種生地は、特に限定されないが、目付けが１２０〜２８０ｇ／ｍ2の範囲が好ましく、より好ましくは１４０〜２５０ｇ／ｍ2の範囲、特に好ましくは１６０〜２３０ｇ／ｍ2の範囲である。目付が上記の範囲であれば、耐久性も良く、軽くて動きやすい利点がある。
【００２８】
以下図面を用いて説明する。但し、本発明は、下記図面に示した実施形態に限定されない。図１は本発明の一実施形態におけるスポーツ用ブラジャーの正面図であり、図２は同実施形態におけるスポーツ用ブラジャーの背面図である。スポーツ用ブラジャー１は、左右の乳房を含む胸部を覆う前面部２と、肩を覆う一対の肩部３と、背中上部を覆う背面部４と、前面部２及び背面部４の下端に繋がっている下端部５とを備えており、前面部２には、左右の乳房をそれぞれ包み込む一対のカップ６が設けられている。
【００２９】
肩部３の長手方向の伸長率Ｌａは３〜５％であり、カップ６の長手方向の伸長率Ｌｂは、肩部３の長手方向の伸長率Ｌａの４〜８倍であり、背面部４の長手方向の伸長率Ｌｃは、カップ６の長手方向の伸長率Ｌｂの２〜４倍であり、下端部５の長手方向の伸長率は７０〜１００％である。肩部３、背面部４、下端部５及びカップ６の伸長率が上述した範囲を満たすことにより、胸の形を潰さずに、運動時の乳房の上下の揺れを抑制することができる。
【００３０】
カップ６の長手方向の伸長率Ｌｂは、好ましくは１５〜２５％であり、背面部４の長手方向の伸長率Ｌｃは、好ましくは３０〜５０％であり、下端部５の身幅方向の伸長率は、好ましくは８０〜９０％である。
【００３１】
該実施形態において、カップ６の上部は、肩部３と、縫着や接着等により直接連結されている。また、該実施形態において、背面部４の上部は、肩部３と、縫着や接着等により直接連結されている。これにより、胸の形を潰さずに、運動時の乳房の上下の揺れを抑制する効果が高まる。
【００３２】
該実施形態において、カップ６は、長手方向に沿って厚みが変化しており、カップ下部の厚みがカップ上部の厚みより大きい。これにより、胸を保形する効果がより高まる。
【００３３】
該実施形態において、カップ６は、肌側層７と外側層８の間に配置されており、カップ６の周縁部が、縫着や接着等により肌側層７に固定されている。該実施形態において、前面部２は、一対のカップ６、肌側層７及び外側層８で構成されている。
【００３４】
該実施形態において、背面部４は、中央部に配置されている背面中央部４１と、両側部に配置されている一対の背面側部４２を有する。該実施形態において、背面側部４２は、外側層８と同じ生地で構成され、外側層８と一体化されていてもよい。
【００３５】
図３は本発明の他の一実施形態におけるスポーツ用ブラジャーの正面図であり、図４は同実施形態におけるスポーツ用ブラジャーの背面図である。該実施形態のスポーツ用ブラジャー１１は、肩部の長さを調製する調節部材１８を有する以外は、図１及び図２に示すスポーツ用ブラジャーと同様に、左右の乳房を含む胸部を覆う前面部２と、肩を覆う一対の肩部３と、背中上部を覆う背面部４と、前面部２及び背面部４の下端に繋がっている下端部５とを備えており、前面部２には、左右の乳房をそれぞれ包み込む一対のカップ６が設けられている。
【実施例】
【００３６】
以下実施例を用いてさらに具体的に説明する。なお、本発明は下記の実施例に限定されるものではない。
【００３７】
実施例及び比較例において、下記表１に示す生地を用いた。なお、下記において、伸長率は、ＪＩＳ  Ｌ  １０９６  ８．１４．１  Ａ法（定速伸長法）に基づき、荷重１７．４Ｎ、引張速度２００ｍｍ／ｍｉｎの条件下で測定したものである。
【００３８】
【表１】
2018204148.tif 000003
【００３９】
（実施例１）
肩部３には生地ａを用い、前面部２の外側層８と背面側部４２には生地ｃを用い、背面中央部４１には生地ｄを用い、前面部２の肌側層７には生地ｅを用い、及びカップ６にはポリウレタン発泡体（中国江▼蘇▼旭城海▼綿▼制品有限公司社製、品番「X-30」、目付８２８ｇ/ｍ2）を用いて乳房を包み込む形状に成形したものを用い、下端部にはY字ゴム（加藤製紐社製）を用いて、図１及び図２に示すようなスポーツ用ブラジャー１を作製した。カップ６の長手方向の伸長率は１７．１％であり、幅方向の伸長率は２５．５％であった。図５に示すように、カップ６の長手方向の伸長率は試料６１を用いて測定し、幅方向の伸長率は試料６２を用いて測定した。下端部の長手方向（身幅方向）の伸長率は、８８．４％であった。カップ６は、長手方向に沿って厚みが変化しており、最も薄いカップ上部の厚みが２ｍｍであり、最も厚いカップ下部の厚みが１３ｍｍであった。
【００４０】
（比較例１）
肩部３に生地ｂを用い、カップ６にはポリウレタン発泡体を用いてカップ６の長手方向の伸長率を１６．５％になるようにした以外は、実施例１と同様にしてスポーツ用ブラジャーを作製した。
【００４１】
（比較例２）
肩部には生地ｆを用い、前面部の外側層と背面側部には生地ｇを用い、背面中央部には生地ｈを用い、下端部にはゴムを用い、前面部の肌側層をポリウレタン発泡体の成形カップ（目付７８４ｇ/ｍ2）で構成した以外は、実施例１と同様にしてスポーツ用ブラジャーを作製した。前面部の肌側層であるカップの長手方向の伸長率は４１．７％であり、幅方向の伸長率は３３．２％であった。カップは、厚みが３．２ｍｍであった。
【００４２】
実施例及び比較例のスポーツ用ブラジャーを着用させ、運動時の乳房の上下の揺れ及び胸の保形性を下記のように評価した。結果を下記表２に示した。下記表２には、肩部の長手方向の伸長率Ｌａ、肩部の長手方向の伸長率Ｌａとカップの長手方向の伸長率Ｌｂの比、カップの長手方向の伸長率Ｌｂと背面部（背面中央部）の長手方向の伸長率Ｌｃの比も併せて示した。
【００４３】
（乳房の上下の揺れ）
実施例及び比較例のスポーツ用ブラジャーを着用した後、ランニングマシン（日本光電株式会社製「トレッドミル」）を用いて８ｋｍ／ｈｒで走行した。計測には、ミズノランニングフォーム診断システム「Ｆ．Ｏ．Ｒ．Ｍ」（特許５３１４２２４に記載のランニングフォーム診断システム）を使用し、ランニング動作中の１０秒間を計測した。被験者は、２０代の成人女性３名であった。被験者に取り付けたマーカーから、基準点と左右乳頭との距離を算出した。走行時の揺れによる各周期の振幅を胸の移動距離とし、１０秒間の動き中の振幅の平均値を算出した。これらの解析は、数値解析ソフトＭＡＴＬＡＢ（マトラボ）で作成したプログラムを用いて行った。マーカーの位置は、図６に示した。肌に直接つけるマーカー２１〜２３によって、胸部セグメントにおけるローカル座標系を定義した。マーカー２１及びマーカー２２は、それぞれ、左右の肋骨１本目と２本目の間の付け根に対応し、マーカー２３は、マーカー２１及びマーカー２２の間の中心点である基準点から下に４ｃｍ離れていた。マーカー２４及びマーカー２５は、スポーツ用ブラジャーの上に貼り付けており、それぞれ、左胸乳頭及び右胸乳頭に対応する。
【００４４】
（乳房の揺れ及び胸の保形性の官能評価）
乳房の揺れ及び胸の保形性については、７段階で官能評価した。官能評価の値が高いほど、優れていることを意味する。
【００４５】
【表２】
2018204148.tif 000004
【００４６】
表２の結果から分かるように、実施例のスポーツ用ブラジャーを着用した場合、胸の形を潰さずに、運動時の乳房の上下の揺れを抑制することができた。一方、比較例のスポーツ用ブラジャーを着用した場合、胸の形を潰さないが、運動時の乳房の上下の揺れの抑制効果は劣っていた。
【符号の説明】
【００４７】
１、１１  スポーツ用衣類（スポーツ用ブラジャー）
２  前面部
３  肩部
４  背面部
５  下端部
６  カップ
７  前面部の肌側層
８  前面部の外側層
１８  調節部材
４１  背面中央部
４２  背面側部
６１  カップの長手方向の伸長率の測定用試料
６２  カップの幅方向の伸長率の測定用試料
【図１】
2018204148.tif 000005
【図２】
2018204148.tif 000006
【図３】
2018204148.tif 000007
【図４】
2018204148.tif 000008
【図５】
2018204148.tif 000009
【図６】
2018204148.tif 000010